(57)【要約】【課題】従来の情報受信装置では、放送局側から送出されているＣＭ放送をそのまま受信し再生しているだけであり、ＣＭによって番組の感興を損なう場合があった。【解決手段】ＣＭ放送を判別し受信するＣＭ放送受信手段と、受信したＣＭを一時的にメモリに記録するＣＭ記録手段と、番組の残り時間を計算する残時間計算手段と、番組の残時間に応じて、記録されたＣＭを再生するＣＭ再生手段とを備えた構成にしたから、ユーザはＣＭを気にせずに、所望の番組を最後まで感興を損なうことなく視聴することができるテレビジョン放送システムにおいて使用するのに適した情報受信装置を実現する。【選択図】図１
2006254019.tif 000002
【特許請求の範囲】
【請求項１】
送信される番組の内容とその関連するデータで構成される番組情報を受信し、前記情報を利用して番組表を表示し、操作者が前記番組表から番組を選択して視聴する方式の情報受信装置において、ＣＭ放送を判別し受信するＣＭ放送受信手段と、受信したＣＭを一時的にメモリに記録するＣＭ記録手段と、番組の残り時間を計算する残時間計算手段と、番組の残時間に応じて、記録されたＣＭを再生するＣＭ再生手段とを備えていることを特徴とする放送情報受信装置。
【発明の詳細な説明】
【技術分野】
【０００１】
本発明は、地上波や衛星放送、あるいはＣＡＴＶ、インターネットといった放送媒体から放送情報を受信する放送情報受信装置に関する。
【背景技術】
【０００２】
一般の商業放送局では、企業のコマーシャル・メッセージ（ＣＭ）を放送番組に交えて放送することにより、視聴者は所望の放送番組を無料で視聴することができる。例えばＣＡＴＶシステムによる、前述のペイパービューのような有料番組では、ＣＭを交えることなく番組が放送されるため、ＣＭにより視聴者の感興が損なわれることはない。
【０００３】
ところが、有料番組を視聴する場合、視聴者が支払わなければならない視聴料は、それによって、有料番組放送局の経営が維持されるため、必ずしも低廉な金額ではない。従って、視聴者によっては、ある程度のＣＭの放送を交えても、視聴料が低減されることを望むものもいる。
【０００４】
しかしながら、視聴者は番組途中のＣＭ放送になると、他の番組を選択することなどで、ほとんどＣＭ放送を見ることがない現状もある。広告料を放送局に支払っている企業にとっては、その放送情報受信装置の性格上、十分な広告ができていないのが現状である。ＣＭ放送を途中で打ち切ることを回避することができる放送情報受信装置が広告企業の視点から望まれている。またこの機能を取り入れることにより、視聴者に不便さを感じさせてはいけないということに注意しなければならない。そこで、チャンネル切換でＣＭを確実に見せる方式が提案されている（例えば、特許文献１参照）。
【特許文献１】特開２００２−３２０１５７号公報
【発明の開示】
【発明が解決しようとする課題】
【０００５】
しかしながら、視聴者からの観点から考えてみると、ドラマやスポーツが重要なところで途切れたり、子画面で重要な場面が視聴でいなかったりするため、視聴者にとっては使い勝手が悪い。
【０００６】
かかる点に鑑み、この発明の目的は、ＣＭを最後にまとめて再生することで、視聴者に番組を最後まで提供し、視聴者に不便さを感じさせない放送情報受信装置を提供するところにある。
【課題を解決するための手段】
【０００７】
上記課題を解決するために、本発明の第一の形態は、送信される番組の内容とその関連するデータで構成される番組情報を受信し、前記情報を利用して番組表を表示し、操作者が前記番組表から番組を選択して視聴する方式の情報受信装置において、ＣＭ放送を判別し受信するＣＭ放送受信手段と、受信したＣＭを一時的にメモリに記録するＣＭ記録手段と、番組の残り時間を計算する残時間計算手段と、番組の残時間に応じて、記録されたＣＭを再生するＣＭ再生手段とを備えていることを特徴とする。
【発明の効果】
【０００８】
本発明にかかる情報受信装置によれば、ＣＭ放送を判別し受信するＣＭ放送受信手段と、受信したＣＭを一時的にメモリに記録するＣＭ記録手段と、番組の残り時間を計算する残時間計算手段と、番組の残時間に応じて、記録されたＣＭを再生するＣＭ再生手段とを備えた構成にしたから、ユーザはＣＭを気にせずに、所望の番組を最後まで感興を損なうことなく視聴することができるテレビジョン放送システムにおいて使用するのに適した情報受信装置を実現できる効果がある。
【発明を実施するための最良の形態】
【０００９】
（実施の形態１）
図１は本発明の実施の形態１による情報受信装置を示す構成図であり、図２は本発明の実施の形態１による情報受信装置において、番組情報に重畳されて送出される番組情報の内容の一例を示す図である。
【００１０】
図１において、１１は上記番組情報を受ける番組情報受信手段であり、１２はその番組情報を記憶する番組情報記憶手段である。１３は通常の番組放送（映像ならびに音声）を受信する番組放送受信手段、１４はＣＭ放送を受信するＣＭ放送受信手段である。１５は各番組情報をそれぞれ分割された複数のセルの一つに対して割り付けて、モニタ１６に表示する番組表提供手段、１７は番組表に対してカーソルを提供するカーソル提供手段、１８は番組表の中のいずれかのセルにカーソルが位置しているかを検出し、検出したカーソル位置にある番組を指定するカーソル位置検出手段、１９は１４で受信したＣＭを一時的に内部メモリ２０に記録するＣＭ記録手段、２１は現在視聴中の番組の残り時間を計算する残時間計算手段、２２は１９で記録されているＣＭを再生するＣＭ再生手段である。
【００１１】
次に、本実施の形態１の情報受信装置の動作を図３に示すフローチャートを参照しつつ説明する。まず、ステップ１において、番組情報記憶手段１２は番組情報を受けて、図２に示すような番組情報を記憶する。ステップ２において、番組表提供手段１５は記憶している番組情報を番組表としてモニタ１６に提供する。本実施の形態では例えば、図４のように、３チャンネルの２時間分のスケジュールが番組表としてモニタに表示される。図４に示すように、通常、番組表には番組タイトルが表示される。ステップ３において、カーソル提供手段１７で提供されるカーソルの位置をカーソル位置検出手段１８で検出し、カーソル位置にある番組を選択する。ステップ４では、選択された番組を番組放送受信手段１３で選局し、映像・音声デコーダでデコードして、モニタ１６に番組放送を表示する。ステップ５においては、選択した番組を視聴している時に、ＣＭ放送受信手段１４でＣＭを受信したら、ＣＭ記録手段１９でメモリ２０に記録する。ステップ６においては、残時間計算手段２１で計算された現在視聴中の番組の残り時間が０であれば、ＣＭ再生手段２２で、メモリ２０に記録されているＣＭを再生する。
【００１２】
このように、本実施の形態１による情報受信装置では、ＣＭは番組視聴後に一括して再生されるので、視聴者は所望の番組を最後まで感興を損なうことなく視聴することを可能にする。
【産業上の利用可能性】
【００１３】
本発明の情報受信装置は、視聴中の番組がＣＭかどうかを判別するＣＭ検出手段と、検出したＣＭを一時的にメモリに記録するＣＭ記録手段と、番組の残り時間を計算する残時間計算手段と、番組の残時間に応じて、記録されたＣＭを再生するＣＭ再生手段とを備えた構成にしたから、ユーザはＣＭを気にせずに、所望の番組を最後まで感興を損なうことなく視聴することができるサービスを提供することができるテレビジョン放送システムに有用である。
【図面の簡単な説明】
【００１４】
【図１】本発明の実施の形態１による情報受信装置の構成を示した説明図
【図２】本発明の実施の形態１によるテレビジョン放送システムにおいて、番組送出側により配信される番組情報の内容の一例を示した説明図
【図３】本発明の実施の形態１による情報受信装置の動作を説明するためのフローチャート
【符号の説明】
【００１５】
１１    番組情報受信手段
１２    番組情報記憶手段
１３    番組放送受信手段
１４    ＣＭ放送受信手段
１５    番組表提供手段
１６    モニタ
１７    カーソル提供手段
１８    カーソル位置検出手段
１９    ＣＭ記録手段
２０    メモリ
２１    残時間計算手段
２２    ＣＭ再生手段
【図１】
2006254019.tif 000003
【図２】
2006254019.tif 000004
【図３】
2006254019.tif 000005